(57)【特許請求の範囲】
【請求項１】
無線信号トランスミッターが第一時間間隔をおいて、第一信号と第二信号を同時に発信し、第一信号の信号強度は第二信号の信号強度よりも大きくする、
無線信号レシーバーは、無線信号トランスミッターから発信された第一信号を受信したとき、無線信号トランスミッターが無線信号レシーバーの第一範囲内に入ったと判断する、及び、
無線信号レシーバーが、無線信号トランスミッターから発信された第一信号と第二信号を受信し、且つ、第二信号の信号強度が接近閾値を上回っていた場合、無線信号レシーバーは一回のフィードバック信号を無線信号トランスミッターに発信する、
前記フィードバック信号を受信した無線信号トランスミッターは、第二時間間隔をおいて頻度を変えて第二信号を発信する、次いで、
無線信号レシーバーは、無線信号トランスミッターが発信した第一信号と第二信号を受信し、且つ、第二信号の信号強度がアラーム閾値を上回っていた場合、無線信号トランスミッターが無線信号レシーバーの第二範囲内に入ったと判断する、
の手順で行われることを特徴とする無線装置接近検知方法。
【請求項２】
無線信号トランスミッターはさらに第三信号を発信するが、この第三信号は、第二信号、第一信号と同時に発信される、或いは、第三信号は第二信号との輪番で、第一信号とともに発信され、無線信号トランスミッターは前記フィードバック信号を受信した後、第二時間間隔をおいて、第二信号と第三信号を同時に、または輪番で発信し、次いで、第三信号の信号強度がアシスト閾値を上回っていた場合、無線信号トランスミッターが無線信号レシーバーの第二範囲内に入ったと判断することを特徴とする、請求項１に記載の無線装置接近検知方法。
【請求項３】
第一信号発射の信号強度は０〜５ｄＢｍのレンジ内、第二信号発射の信号強度は−１５〜−４ｄＢｍのレンジ内、第三信号の信号強度は、第二信号発射の信号強度±３ｄＢｍ、且つ、−１５〜−４ｄＢｍのレンジ内とし、このアラーム閾値の受信信号強度は−８５〜−９２ｄＢｍのレンジ内とし、アシスト閾値の受信信号強度は−８５〜−９２ｄＢｍのレンジ内とすることを特徴とする、請求項２に記載の無線装置接近検知方法。
【発明の詳細な説明】
【技術分野】
【０００１】
本発明は位置検知方法、特に無線装置の位置と距離を正確に割り出す接近検知方法に関するものである。
【背景技術】
【０００２】
無線装置の位置と距離を検知する実際の応用技術において、無線装置から発せられた高周波信号の信号強度が強いときは、高周波信号を発射する装置そのもの、または周囲の磁場や障害物の影響で、高周波信号の信号強度と距離の間には何ら対応性や相関性がないことは、図１に示すとおりである。しかし、無線装置から発せられた高周波信号の信号強度が微弱のとき、強度の閾値を設定して高周波信号を選別すると、高周波信号の信号強度と距離の間に相関関係が生じるのは図２に示すとおりであり、もう一歩進めれば、無線装置の位置と距離を判断できるようになるが、高周波信号の信号強度が微弱なので、無線装置が周囲に存在するか、或いはその状態がどんなものかは判断できず、それゆえに、無線装置の信号強度をどのように調整して正確な位置を割り出せるようにするかは、各界で解決が待たれる課題となっている。
【発明の概要】
【課題を解決するための手段】
【０００３】
【０００４】
【０００５】
【０００６】
【０００７】
【０００８】
【０００９】
【００１０】
【００１１】
本発明は、
無線信号トランスミッターが第一時間間隔をおいて、第一信号と第二信号を同時に発信し、第一信号の信号強度は第二信号の信号強度よりも大きく、第一信号発射の信号強度は０〜５ｄＢｍのレンジ内、第二信号発射の信号強度は−１５〜−４ｄＢｍのレンジ内とする、
無線信号レシーバーは、無線信号トランスミッターから発信された第一信号を受信したとき、無線信号トランスミッターが無線信号レシーバーの第一範囲内に入ったと判断する、
無線信号レシーバーが、無線信号トランスミッターから発信された第一信号と第二信号を受信し、且つ、第二信号の信号強度が接近閾値を上回っていた場合、無線信号レシーバーは一回のフィードバック信号を無線信号トランスミッターに発信する、
無線信号トランスミッターは、このフィードバック信号を受信した後、第二時間間隔をおいて頻度を変えて第二信号を発信する、次いで、
無線信号レシーバーは、無線信号トランスミッターから発信された第一信号と第二信号を受信し、且つ、第二信号の信号強度がアラーム閾値を上回っていた場合、無線信号トランスミッターが無線信号レシーバーの第二範囲内に入ったと判断する、
という手順で行われることを特徴とする、無線装置接近検知方法を提供する。
【００１２】
そのうち、無線信号トランスミッターはさらに第三信号を発信するが、この第三信号は第二信号、第一信号と同時に発信される、或いは、第三信号は第二信号との輪番で、第一信号とともに発信され、無線信号トランスミッターは前記フィードバック信号を受信した後、第二時間間隔をおいて、第二信号と第三信号を同時に、または輪番で発信し、次いで、第三信号の信号強度がアシスト閾値を上回っていた場合、無線信号トランスミッターが無線信号レシーバーの第二範囲内に入ったと判断する。
【００１３】
設定された時間内において無線信号レシーバーが第二信号または第三信号を受信できなかったときは、無線信号トランスミッターが第二範囲外にあると判断し、その設定時間は５秒とする。
【００１４】
第三信号発射の信号強度は、第二信号発射の信号強度±３ｄＢｍ、且つ、−１５〜−４ｄＢｍのレンジ内とする。
【００１５】
第三信号発射の信号強度は、第二信号発射の信号強度±３ｄＢｍ、且つ、−１５〜−４ｄＢｍのレンジ内とする。アシスト閾値の受信信号強度は−８５〜−９２ｄＢｍのレンジ内とする。
【図面の簡単な説明】
【００１６】
【図１】従来の技術における距離と信号強度の関係。
【図２】従来の技術における距離と信号強度の比例関係。
【図３】参考例における無線装置接近検知方法の流れ図。
【図４】参考例における無線装置接近検知方法を示す図。
【図５】別の参考例を示す無線装置接近検知方法の流れ図。
【図６】別の参考例の無線装置接近検知方法を示す図。
【図７】本発明における無線装置接近検知方法の流れ図。
【図８】本発明における無線装置接近検知方法を示す図。
【発明を実施するための形態】
【００１７】
図３に示すように、参考例における無線装置接近検知方法の流れ図は以下の手順を踏んで行われる。
Ｓ１０１：無線信号トランスミッターが第一時間間隔をおいて、第一信号、第二信号及び第三信号を同時に発信する、
Ｓ１０２：無線信号レシーバーは、無線信号トランスミッターから発信された第一信号を受信すると、無線信号トランスミッターが無線信号レシーバーの第一範囲内に入ったと判断する、
Ｓ１０３：無線信号レシーバーは、無線信号トランスミッターから発信された第一信号、及び第二信号または第三信号のいずれかを受信すると、無線信号トランスミッターが無線信号レシーバーの第二範囲内に入ったと判断する、及び、
Ｓ１０４：設定された時間内において無線信号レシーバーが第二信号または第三信号のいずれかを受信できなかったとき、無線信号トランスミッターが第二範囲外にあると判定する。
【００１８】
参考例における無線装置接近検知方法を示す図である図４に示すように、無線信号トランスミッター１００と無線信号レシーバー２００の間には一定の距離があり、無線信号トランスミッター１００は一定の頻度で、第一信号、第二信号及び第三信号を同時に発信する。この第三信号は第二信号、第一信号と同時に発信される、或いは、この第三信号は第二信号との輪番で、第一信号とともに発信される。第一信号発射の信号強度は４ｄＢｍ、第二信号発射の信号強度は−８ｄＢｍ、第三信号発射の信号強度は−５ｄＢｍとする。無線信号レシーバー２００から半径１０メートルの範囲内を第一範囲３００、無線信号レシーバー２００から半径３メートルの範囲内を第二範囲４００とする。無線信号トランスミッター１００が無線信号レシーバー２００に向けて接近し、無線信号レシーバー２００が無線信号トランスミッター１００から発信された信号強度の強い第一信号を受信したとき、無線信号レシーバー２００は無線信号トランスミッター１００が第一範囲３００に入ったと判断する。無線信号レシーバー２００が、無線信号トランスミッター１００から発信された第一信号、及び第二信号または第三信号のいずれかを受信したとき、無線信号レシーバー２００は無線信号トランスミッター１００が第二範囲４００に入ったと判断する。
【００１９】
第二信号を確実に受信して、無線信号トランスミッター１００が第二範囲４００内に入ったことを確認するため、別の参考例の無線装置接近検知方法は、無線信号レシーバー２００に受信時のアラーム閾値を設けて、無線信号トランスミッター１００の位置を判断する。図５に示すように、別の参考例を示す無線装置接近検知方法の流れ図は、以下の手順を踏んで行われる。
Ｓ２０１：無線信号トランスミッターが第一時間間隔をおいて、第一信号、第二信号及び第三信号を同時に発信する、
Ｓ２０２：無線信号レシーバーは、無線信号トランスミッターから発信された第一信号を受信すると、無線信号トランスミッターが無線信号レシーバーの第一範囲内に入ったと判断する、
Ｓ２０３：無線信号レシーバーは、無線信号トランスミッターから発信された第一信号、及び第二信号または第三信号のいずれかを受信し、且つ、第二信号の信号強度がアラーム閾値を上回っているとき、或いは、第三信号の信号強度がアシスト閾値を上回っているとき、無線信号トランスミッターが無線信号レシーバーの第二範囲内に入ったと判断する、及び、
Ｓ２０４：設定された時間内において無線信号レシーバーが第二信号または第三信号のいずれかを受信できなかったとき、無線信号トランスミッターが第二範囲外にあると判定する。
【００２０】
別の参考例の無線装置接近検知方法を示す図である図６に示すように、無線信号トランスミッター１００と無線信号レシーバー２００の間には一定の距離があり、無線信号トランスミッター１００は一定の頻度で、第一信号、第二信号及び第三信号を同時に発信する。この第三信号は第二信号、第一信号と同時に発信される、或いは、この第三信号は第二信号との輪番で、第一信号とともに発信される。第一信号発射の信号強度は４ｄＢｍ、第二信号発射の信号強度は−８ｄＢｍ、第三信号発射の信号強度は−５ｄＢｍとする。無線信号レシーバー２００から半径１０メートルの範囲内を第一範囲３００、無線信号レシーバー２００から半径３メートルの範囲内を第二範囲４００とする。アラーム閾値の受信信号強度は−８９ｄＢｍ、アシスト閾値の受信信号強度は−８６ｄＢｍとする。無線信号トランスミッター１００が無線信号レシーバー２００に向けて接近し、無線信号レシーバー２００が無線信号トランスミッター１００から発信された信号強度の強い第一信号を受信したとき、無線信号レシーバー２００は無線信号トランスミッター１００が第一範囲３００に入ったと判断する。無線信号レシーバー２００が、無線信号トランスミッター１００から発信された第一信号、及び第二信号または第三信号のいずれかを受信したとき、且つ、第二信号の信号強度がアラーム閾値を上回っているとき、或いは、第三信号の信号強度がアシスト閾値を上回っているとき、無線信号レシーバー２００は無線信号トランスミッター１００が第二範囲４００に入ったと判断する。
【００２１】
第二信号を確実に受信して、無線信号トランスミッター１００が第二範囲４００内に入ったことを確認するため、本発明は無線装置接近検知方法を提供し、無線信号トランスミッター１００が信号を発信する際の頻度を変えて、無線信号レシーバー２００が無線信号トランスミッター１００の位置を容易に判断できるようにする。図７に示すように、本発明における無線装置接近検知方法の流れ図は、以下の手順を踏んで行われる。
Ｓ３０１：無線信号トランスミッターが第一時間間隔をおいて、第一信号、第二信号及び第三信号を同時に発信する、
Ｓ３０２：無線信号レシーバーは、無線信号トランスミッターから発信された第一信号を受信すると、無線信号トランスミッターが無線信号レシーバーの第一範囲内に入ったと判断する、
Ｓ３０３：無線信号レシーバーは、無線信号トランスミッターから発信された第一信号と第二信号または第三信号のいずれかを受信し、且つ、第二信号の信号強度が接近閾値を上回っているとき、或いは、第三信号の信号強度がアシスト閾値を上回っているとき、無線信号レシーバーは無線信号トランスミッターに対して一回のフィードバック信号を発信する、
Ｓ３０４：フィードバック信号を受信した無線信号トランスミッターは、第二時間間隔をおいて、第二信号及び第三信号を発信する、
Ｓ３０５：無線信号レシーバーは、無線信号トランスミッターから発信された第一信号、及び第二信号または第三信号のいずれかを受信し、且つ、第二信号の信号強度がアラーム閾値を上回っているとき、或いは、第三信号の信号強度がアシスト閾値を上回っているとき、無線信号トランスミッターが無線信号レシーバーの第二範囲内に入ったと判断する、及び、
Ｓ３０６：設定された時間内において無線信号レシーバーが第二信号または第三信号のいずれかを受信できなかったとき、無線信号トランスミッターが第二範囲外にあると判定する。
【００２２】
本発明における無線装置接近検知方法を示す図である図８に示すように、無線信号トランスミッター１００と無線信号レシーバー２００の間には一定の距離があり、無線信号トランスミッター１００は第一時間間隔の頻度（毎秒１回）で、第一信号、第二信号及び第三信号を同時に発信する。この第三信号は第二信号、第一信号と同時に発信される、或いは、この第三信号は第二信号との輪番で、第一信号とともに発信される。第一信号発射の信号強度４ｄＢｍ、第二信号発射の信号強度は−８ｄＢｍ、第三信号発射の信号強度は−５ｄＢｍとする。無線信号レシーバー２００から半径１０メートルの範囲内を第一範囲３００、無線信号レシーバー２００から半径３メートルの範囲内を第二範囲４００とする。アラーム閾値の受信信号強度は−８９ｄＢｍ、アシスト閾値の受信信号強度は−８６ｄＢｍ、接近閾値の受信信号強度は−９２ｄＢｍとする。無線信号トランスミッター１００が無線信号レシーバー２００に向けて接近し、無線信号レシーバー２００が無線信号トランスミッター１００から発信された信号強度の強い第一信号を受信したとき、無線信号レシーバー２００は無線信号トランスミッター１００が第一範囲３００に入ったと判断する。無線信号レシーバー２００が、無線信号トランスミッター１００から発信された第一信号と第二信号を受信し、且つ、第二信号の信号強度が接近閾値を上回っているとき、すなわち、無線信号トランスミッター１００と無線信号レシーバー２００との距離が６メートルのとき、無線信号レシーバー２００は無線信号トランスミッター１００に対して一回のフィードバック信号を発信し、このフィードバック信号を受信した無線信号トランスミッター１００は、第二時間間隔の頻度（毎秒１０回）で、第二信号及び第三信号を発信する。無線信号レシーバー２００は、無線信号トランスミッター１００から発信された第一信号、及び第二信号または第三信号のいずれかを受信し、且つ、第二信号の信号強度がアラーム閾値の信号強度を上回っているとき、或いは、第三信号の信号強度がアシスト閾値の信号強度を上回っているとき、無線信号レシーバー２００は無線信号トランスミッター１００が第二範囲４００内に入ったと判断する。
【図１】
0006251768.tif 000002
【図２】
0006251768.tif 000003
【図３】
0006251768.tif 000004
【図４】
0006251768.tif 000005
【図５】
0006251768.tif 000006
【図６】
0006251768.tif 000007
【図７】
0006251768.tif 000008
【図８】
0006251768.tif 000009